(57)【要約】【課題】  遊技者の手にかかる負担を軽くし、遊技中の疲労を軽減させる。【解決手段】  操作ハンドル９は、軸部２０、回動部２１、把手部２２から構成される。軸部２０は、下扉６ｂの前面に固定される。回動部２１は、軸部２０が回動中心となるように軸部２０に回動自在に組み付けられる。把手部２２は、回動部２１の前方にて軸部２０に固着される。把手部２２には、略「く」の字形状をした手載せ部材２３がヒンジ２４により回動自在に取り付けられる。また、この手載せ部材２３は手首が違和感なくフィットされるような曲面形状に形成されており、把手部２２の前面と手載せ部材２３の上面とで滑らかな傾斜が形成される。また、手載せ部材２３を上方に回動させることより手載せ部材２３を収納することが可能となる。【選択図】        図２
2005052560.tif 000002
【特許請求の範囲】
【請求項１】
遊技領域を有する遊技盤と、この遊技盤に対して遊技球を発射する遊技球発射装置と、この遊技球発射装置を作動させるために操作する発射操作部材とを有する弾球遊技機において、
前記発射操作部材に、遊技者の手の少なくとも一部、または手首から腕にかけた部分の少なくとも一部を載せながら発射操作部材の操作を行うことを可能にする手載せ部材を、不使用時に収納できるように回動自在に組み付けたことを特徴とする弾球遊技機。
【請求項２】
前記手載せ部材は、手首近傍を保持するように形成されていることを特徴とする請求項１記載の弾球遊技機。
【請求項３】
前記発射操作部材を、軸部と、この軸部を回動中心として回動し、その回動具合に応じて遊技球発射装置の発射力を可変する回動部と、この回動部の前記軸部からの抜けを防止し、且つ遊技用把手として機能する把手部とから構成し、前記把手部または前記軸部に、前記手載せ部材を不使用時に収納できるように回動自在に組み付けたことを特徴とする請求項１または２記載の弾球遊技機。
【請求項４】
前記手載せ部材を着脱可能に設けたことを特徴とする請求項１ないし３のいずれか１つに記載の弾球遊技機。
【発明の詳細な説明】
【技術分野】
【０００１】
本発明は、パチンコ店等の遊技場に設置して使用される弾球遊技機に関するものである。
【背景技術】
【０００２】
現在、パチンコ店等の遊技場に設置して使用されるパチンコ機の多くは、遊技者が一方の手（例えば右手）で操作ハンドルを所定量回転操作することにより、発射装置が作動され、遊技領域へ遊技球が打ち出されるようになっている。
【発明の開示】
【発明が解決しようとする課題】
【０００３】
しかしながら、従来のパチンコ機では、遊技者が手の重さを自力で支えながら操作ハンドルを操作するため、長時間に亘って遊技を行った場合、遊技者の手首や腕等が疲労するという問題があった。
【０００４】
本発明は、上記問題を考慮してなされたもので、遊技者の手にかかる負担を軽くし、遊技中の疲労を軽減させることができるようにした弾球遊技機を提供することを目的とする。
【課題を解決するための手段】
【０００５】
上記目的を達成するために、本発明の弾球遊技機は、遊技領域を有する遊技盤と、この遊技盤に対して遊技球を発射する遊技球発射装置と、この遊技球発射装置を作動させるために操作する発射操作部材とを有するものであり、発射操作部材に、遊技者の手の少なくとも一部、または手首から腕にかけた部分の少なくとも一部を載せながら発射操作部材の操作を行うことを可能にする手載せ部材を、不使用時に収納できるように回動自在に組み付けたことを特徴とするものである。これにより、遊技中、遊技者は手、または手首や腕の一部などを手載せ部材に載せることができるようになり、手にかかる負担を軽減することができる。また、手載せ部材が邪魔であるときには収納することができるので、例えば、弾球遊技機の輸送時にはコンパクトに梱包することが可能となる。さらに、遊技中においては、発射操作部材の下方のスペースを必要に応じて広く使用することができるようになる。
【０００６】
また、前記手載せ部材は、手首近傍を保持するように形成されていることが好ましい。これにより手載せ部材で手首を支えることが可能となり、楽な体勢で発射操作部材を操作することができるようになる。
【０００７】
また、発射操作部材を、軸部と、この軸部を回動中心として回動し、その回動具合に応じて遊技球発射装置の発射力を可変する回動部と、この回動部の軸部からの抜けを防止し、且つ遊技用把手として機能する把手部とから構成し、把手部または軸部に、手載せ部材を不使用時に収納できるように回動自在に組み付けることが好ましい。また、手載せ部材を軸部に設ける場合には、手載せ部材は軸部の下部から前方にかけて突出するように設けられると好適である。
【０００８】
また、手載せ部材を着脱可能に設けることが好ましい。これにより弾球遊技機や発射操作部材を輸送する場合、弾球遊技機や発射操作部材とは別個にして手載せ部材を梱包して輸送することができ、梱包のサイズを小型化できる。加えて、輸送時に起こる虞のある外的衝撃による破損を未然に防止することもできる。
【発明の効果】
【０００９】
本発明の弾球遊技機によれば、発射操作部材に、遊技者の手首を載せながら発射操作部材の操作を行うことを可能にする手載せ部材を、不使用時に収納できるように回動自在に組み付けたので、手にかかる負担を軽減することができ、長時間の遊技でも疲れないようにすることができ、さらには、手載せ部材を収納することにより輸送時にはコンパクトに梱包することが可能となる。また、発射操作部材の下方のスペースを必要に応じて広く使用することができるようになる。
【発明を実施するための最良の形態】
【００１０】
以下、本発明の第１の実施形態を図面に基づいて説明する。図１に弾球遊技機であるパチンコ機の外観を示す。パチンコ機２の本体枠３の内部には遊技盤４が配設されており、遊技盤４上にはガイドレール５に囲まれた遊技領域４ａが形成されている。遊技盤４の前面には前面扉６が設けられている。前面扉６は上扉６ａと下扉６ｂとから構成されており、上扉６ａと下扉６ｂとはヒンジにより本体枠３に開閉自在に取り付けられている。下扉６ｂには、打球供給用の供給皿７及び、下扉６ｂの後方に備えられた遊技球を発射する遊技球発射装置（不図示）を作動させるために操作する操作ハンドル９（発射操作部材）が設けられている。遊技者は供給皿７に遊技球を投入し、操作ハンドル９を操作して、遊技盤４上の遊技領域４ａに対して遊技球を打ち出す。遊技球を打ち出す強さは操作ハンドル９の操作によって調節される。
【００１１】
遊技盤４上に形成された遊技領域４ａの中央には、図柄表示装置１０が設けられ、その他に、始動入賞口１１、通常入賞口１２、アタッカ１３、アウト口１４が設けられている。なお、遊技領域４ａ内を流下する遊技球は、始動入賞口１２または通常入賞口１３またはアタッカ１４等の所定入賞口のいずれかに入賞するか、あるいはアウト口１４から回収される。なお、パチンコ機における釘、風車などの構造物は公知であるので説明は省略する。また、この遊技領域４ａは、上扉６ａが閉じている場合には、上扉６ａの後面側に取り付けられるガラス枠（不図示）のガラス１５を通して視認することができるが、この状態では遊技領域４ａに形成された構造物には触れることができないようになっている。
【００１２】
図１及び図２に示すように、操作ハンドル９は、合成樹脂の成形品である軸部２０、回動部２１、把手部２２から構成される。軸部２０は、下扉６ｂの裏面からビス締め固定などにより下扉６ｂの前面に固定される。回動部２１は、軸部２０が回動中心となるように軸部２０に回動自在に組み付けられており、この回動部２１を回動させることにより前記遊技球発射装置の発射力は変化する。把手部２２は、工業用接着剤により回動部２１の前方にて軸部２０に固着されており、回動部２１の軸部２２からの抜けを防止している。遊技者はこの把手部２２に手のひらや指の付け根などを当てながら指先で回動部２１を操作する。なお、把手部２２を軸部２０に固着させる方法は、工業用接着剤による固着方法に限ることなく、かしめ結合、溶着などの公知の固着方法により固着されていれば良い。また、軸部２０と把手部２２とを一体に成形し、これに回動部２１を組み付けるようにしても良い。
【００１３】
把手部２２の前方下部には、略「く」の字形状をした手載せ部材２３がヒンジ２４により回動自在に取り付けられている。また、この手載せ部材２３は回動部２１を回動操作する手の付け根付近（手首近傍）が違和感なくフィットされるような曲面形状に形成されており、図２に示すように、手載せ部材２３の使用時には、把手部２２の前面と手載せ部材２３の上面とで滑らかな傾斜が形成される。そして、図３に示すように、手載せ部材２３の不使用時には、手載せ部材２３を上方に回動させることより手載せ部材２３を収納することが可能となる。
【００１４】
次に上記のように構成されたパチンコ機の作用について説明する。操作ハンドル９の把手部２２には手首近傍が違和感なくフィットされるような形状を有する手載せ部材２３がヒンジ２４により回動自在に取り付けられる。遊技者は手載せ部材２３に手首を載せて指先だけで回動部２１の回動操作を行う。このように手載せ部材２３が手首を下から支えることにより、遊技者の手や腕にかかる負担を軽くすることができ、長時間の遊技でも疲れないようにすることができる。
【００１５】
また、手載せ部材２３の不使用時には、手載せ部材２３を上方に回動させることにより、手載せ部材２３を収納することができる。これにより、操作ハンドル９の下方のスペースを有効に活用することができる。例えば、下扉６ｂに取り付けられている灰皿や、下扉６ｂの下部付近などの清掃を行う際、手載せ部材２３を収納することによって清掃が行い易くなる。また、パチンコ機２を輸送する際、手載せ部材２３を収納することで、パチンコ機２が運び易くなり、さらに、外的衝撃による手載せ部材２３の破損も防止することができる。また、パチンコ機２をそのまま梱包する場合、手載せ部材２３を収納することで、梱包サイズを小型化することができる。
【００１６】
なお、ヒンジ２４に、途中の回動角度にも段階的にロックさせることができるようにボールクリック機構を備えても良い。これにより手載せ部材２３を所望の角度に調節することが可能となる。また、クリック機構を用いずに手載せ部材２３を回動させ、摩擦機能により所望の角度でフリーストップできるように構成すれば、手載せ部材２３を無段階式に回動できるので、クリック機構よりも自由度の高い角度調節が可能となる。
【００１７】
また、手載せ部材２３を把手部２２に着脱可能に装着しても良い。例えば、手載せ部材２３とヒンジ２４とを一体に構成し、ヒンジ２４の長手方向の中央に雄ネジを形成する。この雄ネジと対応するように把手部２２の前面に雌ネジを形成する。雄ネジを雌ネジに螺合させることにより、手載せ部材２３は把手部２２に着脱可能に装着される。このように構成することで、操作ハンドル９や操作ハンドル９が装着されたパチンコ機２を輸送する際、手載せ部材２３だけを把手部２２から取り外して持ち運ぶことが可能となり、輸送時に起こる可能性のある外的衝撃による手載せ部材２３の破損を防ぐことができる。
【００１８】
また、図２より明らかなように、手載せ部材２３は供給皿７の前面側より遊技者側（図２における左側）にやや出っ張った形状となっている。これは手や腕にかかる負担を軽くするためであるが、このように構成されたパチンコ機２をそのまま梱包する場合には、出っ張り部分を覆うだけの梱包資材が必要となり、梱包サイズが大きくなってしまう。しかしながら、本実施形態の如く、手載せ部材２３を着脱可能に構成することにより、梱包サイズを小型化することができるようになる。
【００１９】
手載せ部材２３を把手部２２に着脱させる方法は、上述したようなネジ構造による着脱方法に限ることなく、可撓性を有する凸凹を形成して着脱させても良く、手載せ部材２３に手を載せた際、手載せ部材２３に加わる荷重に耐えることができ、且つ回動自在となるるように手載せ部材２３が組み付けられていれば、手載せ部材２３を把手部２２に着脱させる方法はどのようなものであっても良い。
【００２０】
次に本発明の第２の実施形態について説明する。なお、第１の実施形態と同一の構成及び作用を有する部材については、同一の符号を付してその説明を省略する。図４及び図５に示すように、操作ハンドル９は、軸部２０と回動部２１と把手部２２とから構成される。把手部２２は略半球状に形成されている。軸部２０の下部には前方に突出するように手載せ部材２５がヒンジ２６により回動自在に取り付けられている。手載せ部材２５は手載せ部２５ａと開口２５ｂとから構成されている。手載せ部２５ａは遊技者の手首が違和感なくフィットするような形状に形成されている。これにより、遊技者は手載せ部２５ａに手首を載せ、把手部２２に手のひらを当て、指先だけで回動部２１の回動操作を行うことが可能になる。
【００２１】
また、図４及び図６に示すように、手載せ部材２５の軸部２０、回動部２１、把手部２２の下方に位置する箇所には開口２５ｂが形成されている。これにより、手載せ部材２５を上方に回動させると、軸部２０、回動部２１、把手部２２が開口２５ｂを潜り抜けて、手載せ部材２５が収納された状態となる。
【００２２】
このように、軸部２０に手載せ部材２５を回動自在に取り付けることで、第１の実施形態と同様の効果を得ることができる。また、手載せ部材２５をさらに前方に突出させることにより腕の一部を支えることも可能となる。このように、手載せ部材２５の形状は目的に応じて適宜に変更することが可能である。
【００２３】
また、第２の実施形態においても第１の実施形態と同様に、手載せ部材２５を軸部２０に対して着脱可能に装着しても良く、これにより、輸送時には、手載せ部材２５を別個にして梱包し輸送することができるので、輸送時に起こる可能性のある手載せ部２５の破損を防止することが可能となる。また、手載せ部材２３を着脱可能に構成することにより、パチンコ機２の梱包サイズを小型化することができるようになる。
【００２４】
また、第２の実施形態では、手載せ部材２５に開口２５ｂを形成し、手載せ部材２５を収納する際、開口２５ｂを軸部２０、回動部２１、把手部２２に潜らせるようにして手載せ部材を上方に回動させたが、図７に示すように、手載せ部材２５を軸部２０に捻りコイルバネ２７を用いて取り付け、軸部２０を中心にして回動させるようにしても良い。図８に示すように、手載せ部材２５は、常態で収納状態（図中の２点鎖線で示したような状態）となるように、捻りコイルバネ２７によって図中の円弧矢印の方向に付勢がかけられている。
よって、手載せ部材２５の使用時には、遊技者は手載せ部材２５を捻りコイルバネの付勢に抗して９０度回転させ、図８の実線で示すような位置で手、あるいは手首などを載せることになる。手載せ部材２５は、載せられた手、あるいは手首の荷重によって捻りコイルバネ２７の付勢力による回転動作を阻止される。手載せ部材２５から手、あるいは手首を離し、手載せ部材２５に加えられた荷重を解くと、手載せ部材２５は図８の２点鎖線で示したような状態に収納される。
このように、手載せ部材２５を回動させる方向などは適宜に変更することが可能である。なお、捻りコイルバネ２７による付勢方向は、手載せ部材２５が常態で使用状態となるように設定しても良い。
【００２５】
なお、上記実施形態では、軸部２０、あるいは把手部２２に手載せ部材を設けたが、図９に示すように、操作ハンドル９下方の下扉６ｂの前面に手載せ部材２８を設けても良い。この手載せ部材２８は、手載せ部２８ａと取り付け部２８ｂとから構成される。取り付け部２８ｂは下扉６ｂの前面から前方にかけて突出するように形成されている。手載せ部２８ａは取り付け部２８ｂにヒンジ２９により回動自在に取り付けられており、手首が載せられるような形状に形成されている。手載せ部２８ａはヒンジ２９を介して上方に回動させることができる。また、手載せ部２８ａを上記実施形態と同様の方法で、取り付け部２８ｂに着脱可能に装着しても良い。このような構成にすることで上記実施形態と同様の効果を得ることができる。
【００２６】
また、上記実施形態では、手載せ部材２３、２５のみを着脱可能とした構成を説明したが、操作ハンドル９全体を着脱可能な構成にすることも輸送時や梱包時の破損防止の観点では有効である。
【図面の簡単な説明】
【００２７】
【図１】本発明の第１の実施形態であるパチンコ機の外観を示す斜視図である。
【図２】図１に示したパチンコ機における操作ハンドル及びその周辺の様子を示す右側面図である。
【図３】手載せ部材を収納させた場合の操作ハンドル及びその周辺の様子を示す右側面図である。
【図４】本発明の第２の実施形態であるパチンコ機の外観を示す斜視図である。
【図５】図４に示したパチンコ機における操作ハンドル及びその周辺の様子を示す右側面図である。
【図６】図５に示した手載せ部材を収納させた場合の操作ハンドル及びその周辺の様子を示す右側面図である。
【図７】手載せ部材を捻りコイルバネとともに軸部に取り付けた場合の操作ハンドル及びその周辺の様子を示す右側面図である。
【図８】図７に示した手載せ部材の使用状態および不使用状態における操作ハンドル及びその周辺の様子を示す正面図である。
【図９】下扉の前面に手載せ部材を設けた場合の操作ハンドル及びその周辺の様子を示す右側面図である。
【符号の説明】
【００２８】
２  パチンコ機
４  遊技盤
９  操作ハンドル
２０  軸部
２１  回動部
２２  把手部
２３、２５、２８  手載せ部材
２４、２６、２９  ヒンジ
【図１】
2005052560.tif 000003
【図２】
2005052560.tif 000004
【図３】
2005052560.tif 000005
【図４】
2005052560.tif 000006
【図５】
2005052560.tif 000007
【図６】
2005052560.tif 000008
【図７】
2005052560.tif 000009
【図８】
2005052560.tif 000010
【図９】
2005052560.tif 000011